【手続補正書】
【提出日】平成30年3月13日(2018.3.13)
【手続補正１】
【補正対象書類名】特許請求の範囲
【補正対象項目名】全文
【補正方法】変更
【補正の内容】
【特許請求の範囲】
【請求項１】
凹凸面を有する壁紙に剥離可能に取り付けられるアンカーシートを含み、上記アンカーシートを上記壁紙へと固定するようにした壁紙用物品支持具であって、
上記アンカーシートは、基材と、上記基材の一方の面に形成される粘着剤層とからなり、
上記粘着剤層は、再剥離性を有し、上記アンカーシートを壁紙から取り外す際に上記粘着剤層が凝集破壊を起こすことがない粘着剤からなり、
上記基材は、表面に原料繊維に起因する微細な凹凸面がある紙材からなることを特徴とする壁紙用物品支持具。
【請求項２】
凹凸面を有する壁紙に剥離可能に取り付けられるアンカーシートを含み、上記アンカーシートを上記壁紙へと固定するようにした壁紙用物品支持具であって、
上記アンカーシートは、基材と、上記基材の一方の面に形成される粘着剤層とからなり、
上記粘着剤層は、再剥離性を有し、層厚が１０〜５０μｍとされ、
上記基材は、表面に原料繊維に起因する微細な凹凸面がある紙材からなることを特徴とする壁紙用物品支持具。
【請求項３】
上記粘着剤層の層厚が１０〜５０μｍであることを特徴とする請求項１に記載の壁紙用物品支持具。
【請求項４】
上記基材が和紙であることを特徴とする請求項１ないし３のいずれか１項に記載の壁紙用物品支持具。
【請求項５】
上記粘着剤層の粘着剤がアクリル系粘着剤であることを特徴とする請求項１ないし４のいずれか１項に記載の壁紙用物品支持具。
【請求項６】
上記アンカーシートの表面にフック、フィルムミラー、小物入れ、額縁等の物品が取り付けられるベースプレートをさらに含み、上記アンカーシートを介して、上記ベースプレートを上記壁紙へと固定するようにされており、
上記ベースプレートは、その裏面側に上記アンカーシートとの接着手段を備えることを特徴とする請求項１ないし５のいずれか１項に記載の壁紙用物品支持具。
【請求項７】
上記接着手段は、上記基材に対して３Ｎ／２０ｍｍ以上の接着力を有することを特徴とする請求項６に記載の壁紙用物品支持具。
【請求項８】
上記接着手段が、両面粘着テープであることを特徴とする請求項６または７に記載の壁紙用物品支持具。
【請求項９】
上記ベースプレートは、上記物品が取り付けられた際に、撓みなどの変形が生じない材料からなることを特徴とする請求項６ないし８のいずれか１項に記載の壁紙用物品支持具。
【請求項１０】
上記ベースプレートは、樹脂シートからなることを特徴とする請求項９に記載の壁紙用物品支持具。
【請求項１１】
上記ベースプレートは木材からなることを特徴とする請求項９に記載の壁紙用物品支持具。
【請求項１２】
上記ベースプレートは金属材料からなることを特徴とする請求項９に記載の壁紙用物品支持具。
【請求項１３】
上記ベースプレートには、図柄や色彩等の印刷が施されていることを特徴とする請求項６ないし１２のいずれか１項に記載の壁紙用物品支持具。
【請求項１４】
凹凸面を有する壁紙に所定の接着手段を介してフック、フィルムミラー、小物入れ、額縁等の物品を取り付けるにあたって、上記壁紙の上記物品の取り付け位置に貼着し、上記物品と上記壁紙との間に介在される物品取付け用のアンカーシートであって、
上記アンカーシートは、基材と、上記基材の一方の面に形成される粘着剤層とを備え、
上記粘着剤層は、再剥離性を有し、上記アンカーシートを壁紙から取り外す際に上記粘着剤層が凝集破壊を起こすことがない粘着剤からなり、
上記基材は、表面に原料繊維に起因する微細な凹凸面がある紙材からなることを特徴とする物品取付け用のアンカーシート。
【請求項１５】
凹凸面を有する壁紙に所定の接着手段を介してフック、フィルムミラー、小物入れ、額縁等の物品を取り付けるにあたって、上記壁紙の上記物品の取り付け位置に貼着し、上記物品と上記壁紙との間に介在される物品取付け用のアンカーシートであって、
上記アンカーシートは、基材と、上記基材の一方の面に形成される粘着剤層とを備え、
上記粘着剤層は、再剥離性を有し、層厚が１０〜５０μｍとされ、
上記基材は、表面に原料繊維に起因する微細な凹凸面がある紙材からなることを特徴とする物品取付け用のアンカーシート。
【請求項１６】
上記基材が和紙であることを特徴とする請求項１４または１５に記載のアンカーシート。
【手続補正２】
【補正対象書類名】明細書
【補正対象項目名】００１３
【補正方法】変更
【補正の内容】
【００１３】
上述した課題を達成するため、本発明は、凹凸面を有する壁紙に剥離可能に取り付けられるアンカーシートを含み、上記アンカーシートを上記壁紙へと固定するようにした壁紙用物品支持具であって、
上記アンカーシートは、基材と、上記基材の一方の面に形成される粘着剤層とからなり、
上記粘着剤層は、再剥離性を有し、上記アンカーシートを壁紙から取り外す際に上記粘着剤層が凝集破壊を起こすことがない粘着剤からなり、
上記基材は、表面に原料繊維に起因する微細な凹凸面がある紙材からなることを特徴と
している。
また、本発明は、凹凸面を有する壁紙に剥離可能に取り付けられるアンカーシートを含み、上記アンカーシートを上記壁紙へと固定するようにした壁紙用物品支持具であって、
上記アンカーシートは、基材と、上記基材の一方の面に形成される粘着剤層とからなり、
上記粘着剤層は、再剥離性を有し、層厚が１０〜５０μｍとされ、
上記基材は、表面に原料繊維に起因する微細な凹凸面がある紙材からなることを特徴としている。
【手続補正３】
【補正対象書類名】明細書
【補正対象項目名】００１４
【補正方法】変更
【補正の内容】
【００１４】
上記発明の好ましい態様として、上記基材を植物繊維を原料とする和紙とするとよい。また、上記粘着剤層の粘着剤をアクリル系粘着剤とし、上記粘着剤層の層厚を１０〜５０μｍとすることが好ましい。
【手続補正４】
【補正対象書類名】明細書
【補正対象項目名】００１６
【補正方法】変更
【補正の内容】
【００１６】
上記発明において、上記接着手段は、上記基材に対して３Ｎ／２０ｍｍ以上の接着力を有することが好ましく、上記接着手段を両面粘着テープとしてもよい。
【手続補正５】
【補正対象書類名】明細書
【補正対象項目名】００１７
【補正方法】変更
【補正の内容】
【００１７】
また、上記発明において、上記ベースプレートは、上記物品が取り付けられた際に、撓みなどの変形が生じない材料とすることが好ましく、例えば、樹脂シート、あるいは木材や金属材料などで構成するとよく、図柄や色彩等の印刷が施されていてもよい。
【手続補正６】
【補正対象書類名】明細書
【補正対象項目名】００１８
【補正方法】変更
【補正の内容】
【００１８】
また、本発明は、凹凸面を有する壁紙に所定の接着手段を介してフック、フィルムミラー、小物入れ、額縁等の物品を取り付けるにあたって、上記壁紙の上記物品の取り付け位置に貼着し、上記物品と上記壁紙との間に介在される物品取付け用のアンカーシートであって、
上記アンカーシートは、基材と、上記基材の一方の面に形成される粘着剤層とを備え、
上記粘着剤層は、再剥離性を有し、上記アンカーシートを壁紙から取り外す際に上記粘着剤層が凝集破壊を起こすことがない粘着剤からなり、
上記基材は、表面に原料繊維に起因する微細な凹凸面がある紙材からなることを特徴としている。
また、本発明は、凹凸面を有する壁紙に所定の接着手段を介してフック、フィルムミラー、小物入れ、額縁等の物品を取り付けるにあたって、上記壁紙の上記物品の取り付け位置に貼着し、上記物品と上記壁紙との間に介在される物品取付け用のアンカーシートであって、
上記アンカーシートは、基材と、上記基材の一方の面に形成される粘着剤層とを備え、
上記粘着剤層は、再剥離性を有し、層厚が１０〜５０μｍとされ、
上記基材は、表面に原料繊維に起因する微細な凹凸面がある紙材からなることを特徴としている。
【手続補正７】
【補正対象書類名】明細書
【補正対象項目名】００１９
【補正方法】変更
【補正の内容】
【００１９】
上記発明の好ましい態様として、上記基材を植物繊維を原料とする和紙とするとよい。
【手続補正８】
【補正対象書類名】明細書
【補正対象項目名】００２０
【補正方法】変更
【補正の内容】
【００２０】
本発明によれば、壁紙に貼着されるアンカーシートの基材を、例えば、和紙のように、その原料繊維が長く、表面に細かな凹凸を有する柔軟性のある紙材とすることにより、基材を壁紙の凹凸面に追従するように接触させることができるため、壁紙に対する十分な接着面積を確保することができる。そのため、従来では難しかった凹凸面のある壁紙にフック等の物品を確実に保持することができる。
【手続補正９】
【補正対象書類名】明細書
【補正対象項目名】００２５
【補正方法】変更
【補正の内容】
【００２５】
また、本発明によれば、凹凸面を有する壁紙に、例えば、両面粘着テープなどの接着手段を介してフック等の物品を取り付けるにあたって、例えば、和紙のように、その原料繊維が長く、表面に細かな凹凸を有する柔軟性のある紙材からなるアンカーシートを壁紙と両面粘着テープとの間に介在させることにより、従来では難しかった凹凸面のある壁紙にフック等の物品を確実に保持することができる。